(57)【要約】【課題】紙面等に粘着片を転写後に、爪先でベーステープの端部のみを掴んで剥がすような低効率の作業を行う必要なく、使い勝手を良くすることができ、かつベーステープを収容ケース内で巻取る必要なく、切断して、外部に排出することができるようにする。【解決手段】長手方向に直交する多数の易分断部９ａを設けた粘着片１１をベーステープ１０上に配設した粘着用テープ９を、テープ繰出し排出機構３によって、収容ケース２内から、その前端開口２ａから突設させた尖頭ヘッド６に向けて繰出すとともに、粘着用テープ９を前記尖頭ヘッド６に掛け渡して折返すことにより、ベーステープ１０上の粘着片１１を剥離させ、この粘着片１１の剥離後におけるベーステープ１０を、収容ケース２の後端開口２ｂから排出させるようにし、かつ収容ケース２内の後端開口２ｂ近傍においてテープ切断機構４により切断するようにする。【選択図】  図２
2008254879.tif 000002
【特許請求の範囲】
【請求項１】
長手方向に直交する多数の易分断部を設けた粘着片をベーステープ上に配設した粘着用テープを、テープ繰出し排出機構によって、収容ケース内から、その前端開口から突設させた尖頭ヘッドに向けて繰出すとともに、粘着用テープを前記尖頭ヘッドに掛け渡して折返すことにより、ベーステープ上の粘着片を剥離させ、この粘着片の剥離後におけるベーステープを、収容ケースの後端開口から排出させるようにし、かつ収容ケース内の後端開口近傍においてテープ切断機構により切断するようにしたことを特徴とする粘着用テープ繰出し容器。
【請求項２】
易分断部を、切目線または分断間隙とした請求項１記載の粘着用テープ繰出し容器。
【請求項３】
テープ繰出し排出機構を、収容ケースの上部に突出させた操作部材の第１押込み操作に連動させるとともに、テープ切断機構を、前記第１押込み操作に連続する第２押込み操作に連動させた請求項１記載の粘着用テープ繰出し容器。
【請求項４】
テープ繰出し排出機構を、操作部材の第１押込み操作に連動して回動する作動板と、この作動板の回動に連動させたラチェット機構と、このラチェット機構により一方向に間欠回動し、かつ尖頭ヘッドから折返されたベーステープを互いに挟持して、粘着用テープの繰出しとともに排出させる１対のテープ巻取りリール歯車とにより構成した請求項１または３記載の粘着用テープ繰出し容器。
【請求項５】
テープ切断機構を、作動板の回動に同期して連動するキックスプリングをもって収容ケース内の後端開口近傍に向けて下降しうるように弾性的に保持したカッターホルダと、このカッターホルダに上下方向に摺動可能に保持され、かつ作動板の回動に同期して連動するカッターとにより構成した請求項１または３記載の粘着用テープ繰出し容器。
【請求項６】
カッターホルダを、操作部材の第１押込み操作をもって、テープ繰出し排出機構によるテープ繰出しと同期して、カッターの切断位置まで下降させるようにした請求項５記載の粘着用テープ繰出し容器。
【請求項７】
カッターホルダを、操作部材の第２押込み操作における作動板の回動時に、キックスプリングの付勢力に抗するように、前記切断位置において係止させるとともに、カッターのみを作動板の回動に同期させて下降させ、かつ収容ケースの後端開口に向けて排出されるベーステープを切断しうるようにした請求項５または６記載の粘着用テープ繰出し容器。
【発明の詳細な説明】
【技術分野】
【０００１】
本発明は、ベーステープ上に粘着片を配設した粘着用テープの繰出し容器に関し、詳しくは粘着用テープを繰出すとともに、その粘着用テープを使用に供した後の粘着片が剥離されたベーステープを切断して排出しうるようにした粘着用テープ繰出し容器に関する。
【背景技術】
【０００２】
従来の粘着用テープ繰出し容器は、収容ケース内に、ロール状に巻回した粘着用テープを装填し、この粘着用テープをテープ繰出し手段によって繰出すとともに、繰出された粘着用テープを、内蔵のカッターによって切断することにより、使用の勝手を向上させたものが公知である（特許文献１、２参照）。
【０００３】
特許文献１、２に記載のものは、いずれも、テープ繰出し手段によって繰出された直後の粘着用テープを、そのまま切断するようになっていることから、切断された粘着用テープには、ベーステープ上に粘着片が配設されたままとなっている。
そのため、紙面等の被貼着面に、切断された粘着用テープを貼着した後、ベーステープのみを剥がすことにより、粘着片を転写していた。
【０００４】
しかし、ベーステープのみを剥がす作業は、ベーステープと粘着片の両者が重合されている粘着用テープの端部から、指の爪先で、ベーステープの端部のみを掴んで剥がさねばならず、使い勝手が悪いという問題があった。
【特許文献１】特開２０００−１２５４号公報
【特許文献２】特表２００２−５４００４２号公報
【発明の開示】
【発明が解決しようとする課題】
【０００５】
本発明は、前記の現状に鑑み、紙面等に粘着片を転写後に、爪先でベーステープの端部のみを掴んで剥がすような低効率の作業を行う必要なく、使い勝手を良くすることができるとともに、ベーステープを収容ケース内で巻取る必要なく、切断して、外部に排出することができるようにした粘着用テープ繰出し容器を提供することを目的とする。
【課題を解決するための手段】
【０００６】
本発明によると、上記課題は、次のようにして解決される。
（１）  長手方向に直交する多数の易分断部を設けた粘着片をベーステープ上に配設した粘着用テープを、テープ繰出し排出機構によって、収容ケース内から、その前端開口から突設させた尖頭ヘッドに向けて繰出すとともに、粘着用テープを前記尖頭ヘッドに掛け渡して折返すことにより、ベーステープ上の粘着片を剥離させ、この粘着片の剥離後におけるベーステープを、収容ケースの後端開口から排出させるようにし、かつ収容ケース内の後端開口近傍においてテープ切断機構により切断するようにする。
【０００７】
（２）  上記（１）項において、易分断部を、切目線または分断間隙とする。
【０００８】
（３）  上記（１）項において、テープ繰出し排出機構を、収容ケースの上部に突出させた操作部材の第１押込み操作に連動させるとともに、テープ切断機構を、前記第１押込み操作に連続する第２押込み操作に連動させる。
【０００９】
（４）  上記（１）項または（３）項において、テープ繰出し排出機構を、操作部材の第１押込み操作に連動して回動する作動板と、この作動板の回動に連動させたラチェット機構と、このラチェット機構により一方向に間欠回動し、かつ尖頭ヘッドから折返されたベーステープを互いに挟持して、粘着用テープの繰出しとともに排出させる１対のテープ巻取りリール歯車とにより構成する。
【００１０】
（５）  上記（１）項または（３）項において、テープ切断機構を、作動板の回動に同期して連動するキックスプリングをもって収容ケース内の後端開口近傍に向けて下降しうるように弾性的に保持したカッターホルダと、このカッターホルダに上下方向に摺動可能に保持され、かつ作動板の回動に同期して連動するカッターとにより構成する。
【００１１】
（６）  上記（５）項において、カッターホルダを、操作部材の第１押込み操作をもって、テープ繰出し排出機構によるテープ繰出しと同期して、カッターの切断位置まで下降させるようにする。
【００１２】
（７）  上記（５）項または（６）項において、カッターホルダを、操作部材の第２押込み操作における作動板の回動時に、キックスプリングの付勢力に抗するように、前記切断位置において係止させるとともに、カッターのみを作動板の回動に同期させて下降させ、かつ収容ケースの後端開口に向けて排出されるベーステープを切断しうるようにする。
【発明の効果】
【００１３】
本発明によると、次のような効果が奏せられる。
請求項１記載の発明によれば、長手方向に直交する多数の易分断部を設けた粘着片をベーステープ上に配設した粘着用テープを、テープ繰出し排出機構によって、収容ケース内から、その前端開口から突設させた尖頭ヘッドに向けて繰出すとともに、粘着用テープを前記尖頭ヘッドに掛け渡して折返すことにより、ベーステープ上の粘着片を剥離させるようにしてあるため、紙面等に粘着片を転写後に、爪先でベーステープの端部のみを掴んで剥がすような低効率の作業を行う必要がなく、使い勝手を良くすることができる。
また、粘着片の剥離後におけるベーステープを、収容ケースの後端開口から排出させるようにし、かつ収容ケース内の後端開口近傍においてテープ切断機構により切断するようにしているため、ベーステープを収容ケース内で巻取る必要なく、切断して、外部に排出することができる。
【００１４】
請求項２記載の発明によれば、易分断部を、切目線または分断間隙としてあるため、ベーステープ上からの粘着片の剥離を容易に行うことができる。
【００１５】
請求項３記載の発明によれば、テープ繰出し排出機構を、収容ケースの上部に突出させた操作部材の第１押込み操作に連動させるとともに、テープ切断機構を、第１押込み操作に連続する第２押込み操作に連動させているため、粘着用テープの繰出しと、粘着片の剥離後におけるベーステープの排出、および切断を、操作部材による一連の押込み操作によって行うことができる。
【００１６】
請求項４記載の発明によれば、テープ繰出し排出機構を、操作部材の第１押込み操作に連動して回動する作動板と、この作動板の回動に連動させたラチェット機構と、このラチェット機構により一方向に間欠回動し、かつ尖頭ヘッドから折返されたベーステープを互いに挟持して、粘着用テープの繰出しとともに排出させる１対のテープ巻取りリール歯車とにより構成してあるため、粘着用テープの繰出しおよびベーステープの排出構造を簡素化することができる。
【００１７】
請求項５記載の発明によれば、テープ切断機構を、作動板の回動に同期して連動するキックスプリングをもって収容ケース内の後端開口近傍に向けて下降しうるように弾性的に保持したカッターホルダに、カッターを上下方向に摺動可能に保持させるとともに、作動板の回動に同期して連動させうるようになっているため、テープ切断機構の構造を簡素化することができるとともに、ベーステープの切断を容易に行うことができる。
【００１８】
請求項６記載の発明によれば、カッターホルダを、操作部材の第１押込み操作をもって、テープ繰出し排出機構によるテープ繰出しと同期して、カッターの切断位置まで下降させるようにしてあるため、カッターホルダおよびカッターを、テープ繰出し排出機構によるテープ繰出しに伴う一連の動作に連動させることができるとともに、カッターを切断位置に容易に下降させることができる。
【００１９】
請求項７記載の発明によれば、カッターホルダを、操作部材の第２押込み操作における作動板の回動時に、キックスプリングの付勢力に抗するように、切断位置において係止させるとともに、カッターのみを作動板の回動に同期させて下降させ、かつ収容ケースの後端開口に向けて排出されるベーステープを切断しうるようにしているため、ベーステープの切断を簡単に行うことができる。
【発明を実施するための最良の形態】
【００２０】
以下、本発明の実施形態を、図面を参照しながら詳細に説明する。
図１は、本発明の一実施形態の粘着用テープ繰出し容器を示す斜視図、図２は、前記容器の縦断面図、図３は、同じく、分解斜視図、図４は、粘着用テープのテープ繰出し機構を示す縦断面図、図５は、粘着片の剥離後に排出されるベーステープのテープ切断機構を示す縦断面図である。
【００２１】
なお、以下の説明では、図１における左上から右下に至る方向を「前後方向」とし、左下から右上に至る方向を「左右方向」とする。
【００２２】
図１〜図３に示すように、本発明の粘着用テープ繰出し容器１は、左右に分離可能な１対の収容ケース部材２Ａ、２Ｂからなる収容ケース２内に、テープ繰出し排出機構３とテープ切断機構４とが設けられている。
【００２３】
収容ケース２内には、ベース部材５（図３参照）が組み付けられており、このベース部材５の前端部には、収容ケース２の前端開口２ａから前方に向けて突出させた尖頭ヘッド６が設けられている。
【００２４】
ベース部材５における左側面のほぼ中央部には、左方に延びるリール軸７が設けられ、このリール軸７には、後記する粘着用テープ９をロール状に巻回して装填されるリール８が回転可能に取付けられている。
【００２５】
粘着用テープ９は、ベーステープ１０上に、長手方向に直交する切目線または分断間隙をもって形成した、多数の易分断部９ａを設けた粘着片１１が、所定の間隔をもって配設されて、ベース部材５の前端部の尖頭ヘッド６に掛け渡されている。
【００２６】
ベーステープ１０を、尖頭ヘッド６に掛け渡して折返すことにより、ベーステープ１０上に配設された粘着片１１が剥離されるようになっている。
【００２７】
粘着片１１が剥離された後のベーステープ１０は、後記するテープ繰出し排出機構３を介して、収容ケース２の後端開口２ｂから後方に向けて排出されるとともに、これと同期して、粘着用テープ９を尖頭ヘッド６側に向けて繰出すようになっている。
【００２８】
テープ繰出し排出機構３は、収容ケース２の上部に開口した上部開口１２（図１参照）から突出させた操作部材１３と、前端部１４ａが、一方の収容ケース部材２Ａの左側面に突出させた軸１５に軸支され、後端部１４ｂが上下方向に回動可能な作動板１４と、この作動板１４の上部に前記上部開口１２に向けて上方に突出しうるように形成され、前記操作部材１３が嵌着状態で固定される連結片１６と、この連結片１６の内面に一端１７ａが係合され、他端１７ｂが一方の収容ケース部材２Ａの上部下面に固定された第１フラットスプリング１７とを備えている。
【００２９】
第１フラットスプリング１７は、操作部材１３および作動板１４を上方に向けて付勢しうるようになっているとともに、一端１７ａが連結片１６の内面に係合され、他端１７ｂ左右の収容ケース部材２Ａ、２Ｂの上部下面に跨るように係止されることにより、左右の収容ケース部材２Ａ、２Ｂと作動板１４とを互いに連結している。
【００３０】
作動板１４の左側面には、図示しないガイド枠を介して、上下方向にスライド自在に組み付けられたラチェットホルダ１８と、このラチェットホルダ１８に、上端が軸１９をもって軸支され、かつトーションスプリング２０をもって、左側方視において反時計回りの向きに付勢されたラチェット２１と、このラチェット２１の後方に位置し、かつラチェット２１の下端に設けられた爪部２１ａが係合される送り歯２２を外周に有する第１テープ巻取りリール歯車２３と、この第１テープ巻取りリール歯車２３と互いのリール面を接触させて噛合する第２テープ巻取りリール歯車２４とが設けられている。
【００３１】
第１テープ巻取りリール歯車２３と第２テープ巻取りリール歯車２４とは、ベース部材５の左側面側に回転自在に互いに噛合して配置されている。
第１テープ巻取りリール歯車２３は、一方の収容ケース部材２Ａの内側面に突出させた軸２５に装着されており、この軸２５は、作動板１４に貫通させた円弧状孔２６を通して、ベース部材５の左側面側に突出させてある。
第２テープ巻取りリール歯車２４は、ベース部材５の左側面に突出させた軸２７に装着されている。
【００３２】
第１テープ巻取りリール歯車２３の送り歯２２には、一方の収容ケース部材２Ａの内側面に上方に向けて突き上げるように装着した第２フラットスプリング２８の上端部が係合されており、前記ラチェット２１による間欠的な送り機構に伴う第１テープ巻取りリール歯車２３の回転が一方向となるように、逆回転を防止している。
【００３３】
ラチェットホルダ１８は、第３フラットスプリング２９を介して作動板１４に連結されており、この第３フラットスプリング２９の一端２９ａは、作動板１４の連結片１６に固定されているとともに、他端２９ｂは、ラチェットホルダ１８の上部に連結されている。
【００３４】
ラチェットホルダ１８は、図４に示すように、操作部材１３の第１押込み操作による作動板１４の左側方視時計回りの回動に同期して連動し、ラチェット２１の爪部２１ａにより、送り歯２２を介して第１テープ巻取りリール歯車２３を回転させることにより、粘着用テープ９の繰出しと、使用済みのベーステープ１０の排出を行わせた後、その位置において、一方の収容ケース部材２Ａの内側面に突出させた第１ストッパ部材３０に係止される。
これにより、後記するテープ切断機構４によるテープ切断時における操作部材１３の第２押込み操作に伴う、作動板１４の左側方視時計回りの回動に追従しないように、ラチェット２１を位置決めするようになっている。
【００３５】
テープ切断機構４は、作動板１４の後端部１４ｂに配置されたカッターホルダ３１と、このカッターホルダ３１を作動板１４の回動に同期して連動しうるように保持する左右１対のキックスプリング３２、３２と、前記作動板１４の回動に同期して連動しうるように固定され、かつカッターホルダ３１に上下方向に摺動可能に保持されたカッター３３とを備えている。
【００３６】
カッターホルダ３１は、キックスプリング３２、３２を介して操作部材１３の第１押込み操作による作動板１４の回動に同期して連動して、カッター３３の切断位置Ｃ（図４参照）まで下降するようになっている。
カッター３３の刃先は、前記切断位置Ｃに向けて先鋭な逆三角形状をなしており、ベーステープ１０を、テープ幅方向の中央部から突き刺して、テープ幅方向の両端に向けて切断するようになっている。
【００３７】
切断位置Ｃにおいては、収容ケース２内における後端開口２ｂの下端面３４に、カッターホルダ３１の下端部から後方に向けて突出させた第２ストッパ部材３１ａが当接しうるようになっている。
【００３８】
第２ストッパ部材３１ａを前記後端開口２ｂの下端面３４に当接させることにより、図５に示すように、カッターホルダ３１を、操作部材１３の第１押込み操作に連続する第２押込み操作による作動板１４の下方への回動に追従させないようにして、カッター３３のみが、作動板１４の下方への回動に同期して、後端開口２ｂにおける下端面３４の前方に凹設された切断溝３５に向けて下降しうるようにしてある。
収容ケース２の後端開口２ｂ側に向けて排出されるベーステープ１０の排出端１０ａを、カッターホルダ３１の第２ストッパ部材３１ａと後端開口２ｂの下端面３４とにより挟持して、ベーステープ１０を緊張状態に維持させて、カッター３３をもって切断しうるようになっている。
【００３９】
テープ切断時においては、ラチェット２１を保持しているラチェットホルダ１８が、第１ストッパ部材３０によって係止状態にあり、第１テープ巻取りリール歯車２３は回転しないため、粘着用テープ９の繰出しは行われない。
【００４０】
テープ切断後、作動板１４は、操作部材１３の押込み操作を開放することにより、第１および第３フラットスプリング１７、２９の弾性復帰力により、上方に向けて回動し、元の作動開始位置に復帰する。
同時に、カッター３３も、作動板１４の上方への回動により、左右１対のキックスプリング３２、３２に保持されたカッターホルダ３１内に収容されながら、元の待機位置に復帰する。
【図面の簡単な説明】
【００４１】
【図１】本発明の一実施形態の粘着用テープ繰出し容器を示す斜視図である。
【図２】同じく、縦断面図である。
【図３】同じく、分解斜視図である。
【図４】粘着用テープのテープ繰出し機構を示す縦断面図である。
【図５】粘着片の剥離後に排出されるベーステープのテープ切断機構を示す縦断面図である。
【符号の説明】
【００４２】
１    粘着用テープ繰出し容器
２    収容ケース
２Ａ、２Ｂ  収容ケース部材
２ａ  前端開口
２ｂ  後端開口
３    テープ繰出し排出機構
４    テープ切断機構
５    ベース部材
６    尖頭ヘッド
７    リール軸
８    リール
９    粘着用テープ
９ａ  易分断部
１０  ベーステープ
１０ａ  排出端
１１  粘着片
１２  上部開口
１３  操作部材
１４  作動板
１４ａ  前端部
１４ｂ  後端部
１５  軸
１６  連結片
１７  第１フラットスプリング
１７ａ  一端
１７ｂ  他端
１８  ラチェットホルダ
１９  軸
２０  トーションスプリング
２１  ラチェット
２１ａ  爪部
２２  送り歯
２３  第１巻取りリール歯車
２４  第２巻取りリール歯車
２５  軸
２６  円弧状孔
２７  軸
２８  第２フラットスプリング
２９  第３フラットスプリング
２９ａ  一端
２９ｂ  他端
３０  第１ストッパ部材
３１  カッターホルダ
３１ａ  第２ストッパ部材
３２  キックスプリング
３３  カッター
３４  下端面
３５  切断溝
Ｃ    切断位置
【図１】
2008254879.tif 000003
【図２】
2008254879.tif 000004
【図３】
2008254879.tif 000005
【図４】
2008254879.tif 000006
【図５】
2008254879.tif 000007